(57)【要約】【課題】電気機器収納用箱を風雨に晒されることなく、また塗装面を傷付けることなくトラック輸送することができ、しかも資源の無駄を生ずることもない電気機器収納用箱体の輸送用シート及びこれを用いた電気機器収納用箱体のカバー方法を提供する。【解決手段】電気機器収納用の箱体２を、箱体の正面がトラックの側方を向くように積載して輸送するための輸送用シートである。シート全体が箱体２を左右の幅方向に分割する位置で分割された複数のシートからなる。具体的には、箱体２の端面を覆う端部シート４と、箱体のその他の部分を覆う帯状の中間シート５とからなり、各シート間に連結用ファスナー６、７を設けて連結する。【選択図】図２
2009073452.tif 000002
【特許請求の範囲】
【請求項１】
電気機器収納用の箱体を、箱体の正面がトラックの側方を向くように積載して輸送するための輸送用シートであって、シート全体が箱体を幅方向に分割する位置で分割された複数のシートからなることを特徴とする電気機器収納用箱体の輸送用シート。
【請求項２】
複数のシートが、箱体の端面を覆う端部シートと、箱体のその他の部分を覆う帯状の中間シートとからなり、各シート間に連結用ファスナーを設けたことを特徴とする請求項１に記載の電気機器収納用箱体の輸送用シート。
【請求項３】
各シートの外面に、ゴムロープ取付け用のフックを設けたことを特徴とする請求項１に記載の電気機器収納用箱体の輸送用シート。
【請求項４】
請求項３に記載の電気機器収納用箱体の輸送用シートを用いた電気機器収納用箱体のカバー方法であって、前記輸送用シートのゴムロープ取付け用フックのうち、トラック前側の端部シートのフックに取付けられたゴムロープは後側下向きに引張り、中間シートのフックに取付けられたゴムロープは下向きに引張り、トラック後側の端部シートのフックに取付けられたゴムロープは左右でクロスさせたうえ、前側下向きに引張ることにより、電気機器収納用箱体をカバーすることを特徴とする電気機器収納用箱体のカバー方法。
【発明の詳細な説明】
【技術分野】
【０００１】
本発明は、配電盤などの電気機器収納用箱をトラック輸送する際に使用される電気機器収納用箱体の輸送用シート及びこれを用いた電気機器収納用箱体のカバー方法に関するものである。
【背景技術】
【０００２】
配電盤などの電気機器収納用箱は、メーカーの出荷センターからトラックにより輸送されて現場で設置されている。電気機器収納用箱のうちキュービクルのような大型のものは屋外用が多く防水構造になっているので、従来はトラックの荷台にそのまま積載されていた。しかし最近では設置前の箱体に雨や雪がかかることを嫌い、濡れや疵のない状態で輸送することが求められている。
【０００３】
そのような場合、ロール状のラッピングシートで箱体の表面全体を何重にも巻いて保護していたが、その装着作業が繁雑であるうえに、現場に到着すればラッピングシートは外されて捨てられていたため材料費もかかり、環境的にも好ましくなかった。
【０００４】
また、トラックの汎用の輸送用シートで覆うことも行なわれているが、特に高速道路での風雨は極めて過酷な暴噴流であり、汎用の輸送用シートは走行中の風圧でばたついて箱体表面の塗装が擦れて傷付いてしまったり、雨水が箱体内にしみるトラブルがあった。
【０００５】
しかも電気機器収納用箱はユニットを１〜６個程度連結した構造となっている。電気機器収納用箱は箱体の正面がトラックの側方を向くように横向きに積載して輸送されているが、ユニット横幅の単位長が８００mmとしてその全幅（トラック荷台上では前後長）が約１ｍ〜数ｍと大きく異なり、汎用の輸送用シートでは対応できなかった。
【０００６】
なお特許文献１には、トラック荷台を覆うための自動巻取り式のカバーシートの一例が開示されているが、やはり上記した汎用の輸送用シートと同様の問題を含むものであって、電気機器収納用箱体の輸送には不適当であった。
【特許文献１】特開２００１−２２５６９５号公報
【発明の開示】
【発明が解決しようとする課題】
【０００７】
本発明は上記した従来の問題点を解決して、電気機器収納用箱を風雨に晒されることなく、また塗装面を傷付けることなく安全にトラック輸送することができ、しかも装着作業が簡単であって資源の無駄を生ずることもない電気機器収納用箱体の輸送用シートを提供することを目的とするものである。また本発明の他の目的は、箱体を構成するユニットの連結個数が異なる場合にも容易に対応できる電気機器収納用箱体の輸送用シート及びこれを用いた電気機器収納用箱体のカバー方法を提供することである。
【課題を解決するための手段】
【０００８】
上記の課題を解決するためになされた本発明の電気機器収納用箱体の輸送用シートは、電気機器収納用の箱体を、箱体の正面がトラックの側方を向くように積載して輸送するための輸送用シートであって、シート全体が箱体を左右の幅方向に分割する位置で分割された複数のシートからなることを特徴とするものである。
【０００９】
なお請求項２のように、複数のシートが、箱体の端面を覆う端部シートと、箱体のその他の部分を覆う帯状の中間シートとからなり、各シート間に連結用ファスナーを設けた構造であることが好ましい。また請求項３のように、各シートの外面に、ゴムロープ取付け用のフックを設けることが好ましい。
【００１０】
また本発明の電気機器収納用箱体のカバー方法は、請求項３に記載の電気機器収納用箱体の輸送用シートを用いた電気機器収納用箱体のカバー方法であって、前記輸送用シートのゴムロープ取付け用フックのうち、トラック前側の端部シートのフックに取付けられたゴムロープは後側下向きに引張り、中間シートのフックに取付けられたゴムロープは下向きに引張り、トラック後側の端部シートのフックに取付けられたゴムロープは左右でクロスさせたうえ、前側下向きに引張ることにより、電気機器収納用箱体をカバーすることを特徴とすることを特徴とするものである。
【発明の効果】
【００１１】
本発明の電気機器収納用箱体の輸送用シートは、シート全体が箱体を幅方向に分割する位置で分割された複数のシートからなるため、箱体の横幅に合わせて適当枚数を組み合せ、輸送中にばたつきが生じないようにぴったりと表面を覆うことができる。この輸送用シートは専用シートであるからロール状のラッピングシートや汎用の輸送用シートとは異なり装着が簡単であり、ラッピングシートのように使い捨てではないため、資源の無駄を生ずることもない。
【００１２】
請求項２のように、輸送用シートを箱体の端面を覆う端部シートと、箱体のその他の部分を覆う帯状の中間シートとからなり、各シート間に連結用ファスナーを設けた構造としておけば、ユニット数に応じて中間シートの枚数を増加させることにより、ユニットの連結個数が異なる場合にも対応することができる。
【００１３】
また請求項３のように、輸送用シートを各シートの外面にゴムロープ取付け用のフックを設けた構造としておけば、輸送中にばたつきが生じないようにトラックの荷台に確実に固定するに便利である。
【００１４】
さらに請求項４のように、前記輸送用シートのゴムロープ取付け用フックのうち、トラック前側の端部シートのフックに取付けられたゴムロープは後側下向きに引張り、中間シートのフックに取付けられたゴムロープは下向きに引張り、トラック後側の端部シートのフックに取付けられたゴムロープは左右でクロスさせたうえ、前側下向きに引張ることにより電気機器収納用箱体をカバーすれば、輸送用シートが輸送中にばたつくことがなく、電気機器収納用箱を風雨に晒されることなく、また塗装面を傷付けることなく安全にトラック輸送することができる。
【発明を実施するための最良の形態】
【００１５】
以下に本発明の好ましい実施形態を示す。
図１は電気機器収納用箱体をトラック輸送している状態の細部を省略した概念図であり、トラックの荷台１上に箱体２が積載されている状態を示している。箱体２は例えば電気機器収納用箱体の１種である大型のキュービクルであり、この図１では３つのユニットを横方向に連結した構造のものである。箱体２はその正面がトラックの側方を向くように横向きに積載されている。３は箱体２を保護するために箱体２を覆う本発明の輸送用シートである。輸送用シート３の構成及びその使用方法については、以下に詳細に説明する。
【００１６】
本発明の輸送用シート３は、シート全体が箱体２を左右の幅方向に分割する位置で分割された複数のシートからなる。図２に示すように、この実施形態ではシート全体が幅方向に４分割されており、４は箱体２の左右端面を覆う端部シートであり、５は帯状の中間シートである。各シートは当然に防水性のシートである。また各シートの端縁部には連結用ファスナー６、７が取付けられており、これらの分割されたシートを相互に簡単に連結できるようになっている。なおユニット数が増加した場合には、箱体２の全幅が変わるだけであるから、中間シート５の枚数を増やすことによって自由に対応することができるが、この点については後述する。
【００１７】
端部シート４は、端面４ａ、上面４ｂ、両側面４ｃ、４ｄの４面を一体に連結した構造であり、中間シート５は上面５ａ、両側面５ｂ、５ｃの３面を一体に連結した構造である。これらのシートは走行中の風によりばたつかないように、また空気抵抗を減らすように、しわのない状態に維持することが好ましく、トラックの荷台１にゴムロープ８で引っ張り固定される。
【００１８】
このため図２に示すように、端部シート４には端面４ａと両側面４ｃ、４ｄとの間のコーナー部に上下４段にゴムロープ取付け用のフック９を設けてある。また端面４ａの底部付近の左右位置や、両側面４ｃ、４ｄの中段、下段にもゴムロープ取付け用のフック９を設けてある。さらに中間シート５の両側面５ｂ、５ｃには上下３箇所にゴムロープ取付け用のフック９を設けてある。
【００１９】
図３はゴムロープ８によるシートの固定方法の具体例を示す斜視図であり、図３の左側である前側の端部シート４は、コーナー部に設けられた上下４段のフック９にそれぞれゴムロープ８の一端を取付け、後側（図３の右側）に下向きに引張り固定されている。また端部シート４の両側面４ｃ、４ｄ及び中間シート５の両側面５ｂ、５ｃに設けられたフック９にもそれぞれゴムロープ８の一端を取付け、下方に引張り固定されている。
【００２０】
図４は後側の端部シート４のゴムロープ８の掛け方を示すもので、図４の右側である後側の端部シート４の端面４ａでコーナーからのゴムロープ８を左右でクロスさせたうえ、前側下向きに引っ張っている。このようにフック９の大半はシートの比較的下部に配置されており、シートを下向きに引っ張ってしわを防止するとともに、前側の端部シート４は後向きに、後側の端部シート４はゴムロープ８をクロスさせたうえ前向きに引っ張って走行中の風によるばたつきを防止している。
【００２１】
しかし端部シート４の端面４ａについては、底部付近の左右位置に設けたフック９から延びるゴムロープ８をコーナー部の下部に引っ掛けて端面４ａを締め付け、風雨の吹き上がりを防止している。このほか、荷台１の前後方向に伸びる複数の固定用ロープ１０によって全体を固定している。
【００２２】
このように各シートをゴムロープ８によって引っ張り固定すれば、走行中の風によるばたつきもなく、箱体２の表面をぴったりと覆うことができる。このため設置現場まで、電気機器収納用の箱体２を無疵のまま輸送することができる。荷卸後に輸送用シートは回収され再利用されるので、従来のラッピングシートとは異なり、資源の無駄を生ずることもない。
【００２３】
ユニットの単位長が例えば８００ｍｍである場合、端部シート４の幅を４００ｍｍ、中間シート５の幅を８００ｍｍとしておけば、ユニットが１個の場合には図５に示すように２枚の端部シート４、４のみによって覆うことができ、ユニットが２個の場合には１枚の中間シート５を挟むことによって覆うことができ、ユニットが３個の場合には図５に示すように２枚の中間シート５を挟むことによって覆うことができる。
【００２４】
以上の実施形態の説明からも明らかなように、本発明の電気機器収納用箱体の輸送用シートは繰り返し使用できるのでラッピングシートのような無駄がないうえに環境的にも好ましく、ユニット数が変化した場合にも容易に対応でき、箱体２への装着作業も容易である。また本発明の電気機器収納用箱体の輸送用シートは、汎用の輸送用シートのようにばたついて箱体２の表面の塗装を傷付けたりすることもなく、雨水の進入を確実に防止することができる。さらにシートに商品名などのロゴを表示すれば、輸送中の宣伝効果も期待することができる。
【図面の簡単な説明】
【００２５】
【図１】電気機器収納用箱体をトラック輸送している状態の概念図である。
【図２】箱体が３ユニットからなる場合のシート構成図である。
【図３】ゴムロープによるシートの固定方法を示す斜視図である。
【図４】ゴムロープによるシートの固定方法を示す別の視点の斜視図である。
【図５】箱体が１ユニットからなる場合のシートの固定方法を示す斜視図である。
【符号の説明】
【００２６】
１  トラックの荷台
２  箱体
３  輸送用シート
４  端部シート
５  中間シート
６  連結用ファスナー
７  連結用ファスナー
８  ゴムロープ
９  ゴムロープ取付け用のフック
１０  固定用ロープ
【図１】
2009073452.tif 000003
【図２】
2009073452.tif 000004
【図３】
2009073452.tif 000005
【図４】
2009073452.tif 000006
【図５】
2009073452.tif 000007